(57)【要約】【課題】室内温度検出手段で検出する温度と、実際の室内温度との差を小さくする空気調和機の室内機を提供すること。【解決手段】本発明の空気調和機の室内機は、冷媒と室内空気とを熱交換する室内熱交換器５と、室内温度を検出する室内温度検出手段７とを備え、室内温度検出手段７を室内熱交換器５の下端部よりも下側に配置したことにより、室内熱交換器５のフィンによって室内温度検出手段を損傷せず、さらに、室内熱交換器からの輻射熱の影響を最小限に抑えることができる。【選択図】図２
2012225574.tif 000002
【特許請求の範囲】
【請求項１】
冷媒と室内空気とを熱交換する室内熱交換器と、室内温度を検出する室内温度検出手段とを備え、前記室内温度検出手段を前記室内熱交換器の下端部よりも下側に配置したことを特徴とする空気調和機の室内機。
【請求項２】
前記室内熱交換器に接続される冷媒配管を筐体外部に取り出す連通穴部を備え、前記室内温度検出手段を前記連通穴部に対向して配置したことを特徴とする請求項１に記載の空気調和機の室内機。
【請求項３】
前記室内熱交換器の前部を覆う前面パネルを備え、前記前面パネルに前記室内温度検出手段を配置したことを特徴とする請求項１に記載の空気調和機の室内機。
【発明の詳細な説明】
【技術分野】
【０００１】
本発明は、空気調和機の室内機に関するものである。
【背景技術】
【０００２】
従来、この種の空気調和機において、室内熱交換器の前に吸込み温度センサ（室内温度検出手段）を設け、室内機の運転時に室内空気を吸込み、温度センサで室内温度を検出している（例えば、特許文献１参照）。
【先行技術文献】
【特許文献】
【０００３】
【特許文献１】特開２０１１−０７５１２０号公報
【発明の概要】
【発明が解決しようとする課題】
【０００４】
しかしながら、前記従来の構成では、室内温度検出手段が室内熱交換器の輻射の影響を受けやすく、実際の室内温度との差が開き、正しい室温を検出することができないという課題を有していた。
【０００５】
本発明は、前記従来の課題を解決するもので、室内温度検出手段で検出する温度と、実際の室内温度との差を小さくする空気調和機の室内機を提供することを目的とする。
【課題を解決するための手段】
【０００６】
前記従来の課題を解決するために本発明は、冷媒と室内空気とを熱交換する室内熱交換器と、室内温度を検出する室内温度検出手段とを備え、前記室内温度検出手段を前記室内熱交換器の下端部よりも下側に配置したことにより、室内熱交換器のフィンによって室内温度検出手段を損傷せず、さらに、室内熱交換器からの輻射熱の影響を最小限に抑えることができる。
【発明の効果】
【０００７】
本発明は、室内温度検出手段で検出する温度と、実際の室内温度との差を小さくする空気調和機の室内機を提供することができる。
【図面の簡単な説明】
【０００８】
【図１】本発明の実施の形態１における空気調和機の室内機の外観略図
【図２】同実施の形態１における空気調和機の室内機の内部略図
【図３】同実施の形態１における空気調和機の室内機の断面略図
【図４】本発明の実施の形態２における空気調和機の室内機の内部略図
【図５】本発明の実施の形態３における前面パネルの裏側略図
【発明を実施するための形態】
【０００９】
第１の発明の空気調和機の室内機は、冷媒と室内空気とを熱交換する室内熱交換器と、室内温度を検出する室内温度検出手段とを備え、前記室内温度検出手段を前記室内熱交換器の下端部よりも下側に配置したことにより、室内熱交換器のフィンによって室内温度検出手段を損傷せず、さらに、室内熱交換器からの輻射熱の影響を最小限に抑えることができる。
【００１０】
第２の発明の空気調和機の室内機は、特に第１の発明において、前記室内熱交換器に接
続される冷媒配管を筐体外部に取り出す連通穴部を備え、前記室内温度検出手段を前記連通穴部に対向して配置したことにより、より風通しの良い場所に配置することができるため、正確な室内温度を検出することができる。
【００１１】
第３の発明の空気調和機の室内機は、特に第１の発明において、前記室内熱交換器の前部を覆う前面パネルを備え、前記前面パネルに前記室内温度検出手段を配置したことにより、より風通しの良い場所に配置することができるため、正確な室内温度を検出することができるとともに、簡単な保持構成で室内温度検出手段を取り付けることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の室内機の外観略図であり、図２は実施の形態１における空気調和機の室内機の内部略図である。
【００１４】
図１および図２に示すように、本発明の空気調和機の室内機１は、前面側に室内空気を吸込む吸い込み口２と、熱交換した後の空気を吹き出す吹き出し口３とを有し、さらに、筐体内部にある室内熱交換器５に接続される冷媒配管を、外部に取り出す連通穴部４を備えている。
【００１５】
図３は空気調和機の室内機の断面略図である。図３に示すように、逆Ｖ字形状の室内熱交換器５の内側には室内へ空気を送風するクロスフローファン６を備えている。また、吸い込み口２は、室内熱交換器５の前部を覆う前面パネル８にスリット状の開口部を設けて構成される。なお、前面パネル８にスリット状の開口部を設けなくても、前面パネル８が前側に駆動することによって開口し、吸い込み口２を形成するようにしてもよい。
【００１６】
そして、室内温度を検出する室内温度検出手段７は、室内熱交換器５の下端部よりもさらに下方に配置されており、図２においては、吹き出し口３の横側に配置している。このように配置することによって、室内熱交換器５からの輻射熱の影響を最大限に抑制することができ、正しい室内温度を検出することができる。
【００１７】
また、室内熱交換器５から離れて室内温度検出手段７を配置するために、室内温度検出手段７の損傷を防ぐことができるので、例えば、室内温度検出手段を覆っている保護カバーなどを廃止することができる。
【００１８】
（実施の形態２）
図４は、本発明の実施の形態２における空気調和機の室内機の内部略図である。図４に示すように、連通穴部４に対向するように室内温度検出手段７を配置している。このように配置することによって、風通しの良い場所に配置することができるので、より正確な温度検出を行うことができる。
【００１９】
なお、図４に示すように、連通穴部４は左右両方にあるため、どちらかの連通穴部４に対向する位置に室内温度検出手段７が配置されればよい。
【００２０】
（実施の形態３）
図５は、本発明の実施の形態３における前面パネルの裏側の略図である。図５に示すように、室内温度検出手段７を前面パネル８の裏側に配置することによって、取り付けが簡単となり、さらに、風通しの良い場所に配置することができるので、より正確な温度検出を行うことができる。
【産業上の利用可能性】
【００２１】
以上のように本発明は、一台の室外機に一台の室内機が接続される空気調和機だけではなく、一台の室外機に複数台の室内機が接続される多室型空気調和機の室内機にも適用することができる。
【符号の説明】
【００２２】
１  室内機
２  吸い込み口
３  吹き出し口
４  連通穴部
５  室内熱交換器
６  クロスフローファン
７  室内温度検出手段
８  前面パネル
【図１】
2012225574.tif 000003
【図２】
2012225574.tif 000004
【図３】
2012225574.tif 000005
【図４】
2012225574.tif 000006
【図５】
2012225574.tif 000007